(57)【特許請求の範囲】
【請求項１】
柱部１と、柱部１の両側面より斜め上向きに延出する内部リップ２ａ、２ｂと、柱部１の上端より側方に延出する外部リップ３と、該外部リップ３と、その下隣りの内部リップ２ａを連結するブリッジ片４を有する建物の目地用ガスケットにおいて、ブリッジ片４を内向きに彎曲ないし屈折形成して、その上端の外部リップ３に連結される連結部分の全体がブリッジ片４下端の内部リップ２ａとの連結部分より柱部１寄りの内側に位置することを特徴とする建物の目地用ガスケット。
【発明の詳細な説明】
【０００１】
【発明が属する技術分野】
本発明は、建物の目地用ガスケットに関し、ことに柱部と、柱部の両側面より斜め上向きに延出する内部リップと、柱部の上端より側方に延出する外部リップと、外部リップとその下隣りの内部リップを連結するブリッジ片とよりなる目地用ガスケットに関する。
【０００２】
【従来技術】
目地用ガスケットとしては、柱部の両側に複数の内部リップを、柱部上端に外部リップを備え、目地内にリップが上向きに撓んで屈曲された状態で挿入されるものが一般的であるが、挿入時にリップが左又は右に傾いて、いわゆる「転び」を生じ易い。
【０００３】
ガスケットの断面形状を縦長の長方形にすれば、挿入時に転びにくゝなるが、この場合、目地幅に許容幅を持たせることができない。すなわちガスケットの厚みが目地幅より大きいと挿入が困難となり、逆に小さいとシール性が損なわれると共に、目地に止着することができなくなる。また断面形状を長方形にすると、ボリュームも大きくなり、コスト高となる。そこで、図４に示すように、外部リップ１２と、その下隣りの内部リップ１３をブリッジ片１４で連結して上側部に略四角形部分を形成したガスケット１１が考えられた。
【０００４】
図４に示すように、ブリッジ片１４が柱部１５に対して平行をなしている場合、ブリッジ片１４の位置は、許容目地幅を考慮して決められるが、許容目地幅内の目地幅が小さなところへ挿入しようとする場合、内部リップが上向きに彎曲して撓むとき、ブリッジ片が外部リップを押し上げるため、内部リップの挿入力が外部リップを押し上げるときの反作用で大きくなったり、外部リップの上向きに彎曲する撓みにより外部リップのシール性が損なわれるおそれがある。
【０００５】
他の例として図５に示すように、ブリッジ片１７をくの字状に内側に屈折させたものがある。このガスケットによると、目地への挿入時に内部シール片１８が上向きに彎曲して撓んだとき、ブリッジ片１７が内側に撓むことにより、表面シール片１９を押し上げる作用を生じないが、ブリッジ片１７が内側に撓むのに伴い、表面シール片１９が引張り下げられて下向きに彎曲するため、目地挿入時、目地壁に支えて挿入時の抵抗が大きくなり、挿入性が悪くなる。
【０００６】
【発明が解決しようとする課題】
本発明は、柱部の両側に斜め上向きに延出する内部リップと、柱部上端より側方に延出する外部リップと、内向きに彎曲して両リップを連結するブリッジ片とを有する目地用ガスケットにおいて生ずる上記の問題、すなわち目地挿入時にブリッジ片が外部リップを押上げることにより、その反作用で内部リップの挿入力が大きくなったり、外部リップの上向きに彎曲する撓みによりシール性が損なわれる問題、更にはブリッジ片が内向きに撓むのに伴い、外部リップが引張り下げられることによる、挿入時の抵抗が大きくなる問題を解消し、挿入性を向上させることを目的とする。
【０００７】
【課題の解決手段】
本発明はそのため、柱部１と、柱部１の両側面より斜め上向きに延出する内部リップ２ａ、２ｂと、柱部１の上端より側方に延出する外部リップ３と、該外部リップ３と、その下隣りの内部リップ２ａを連結するブリッジ片４を有する建物の目地用ガスケットにおいて、ブリッジ片４を内向きに彎曲ないし屈折形成して、その上端の外部リップ３に連結される連結部分の全体がブリッジ片４下端の内部リップ２ａとの連結部分より柱部１寄りの内側に位置することを特徴とする。
【０００８】
本発明のガスケットによると、目地への挿入時に内部リップが上向きに彎曲して撓むと、ブリッジ片が内向きに撓むが、外部リップとの連結位置が柱部側に偏っているため、外部リップを下向きに引張る力による曲げモーメントが小さくなり、外部リップの撓みがほとんどなくなる。そして内部リップは外部リップとは独立した撓み挙動を生じ、内部リップを撓ませる際の外部リップへの影響が少なくなる。また、外部リップはブリッジ片との連結部分から先端までの長さが長くなるため、目地挿入時に撓み易く、上向きに容易に反るようになる。
【０００９】
別の発明は、上記発明のブリッジ片を内向きに彎曲ないし屈曲形成する代わりにブリッジ片中間部に肉薄部分を設けて目地挿入時に内部リップが撓むと、ブリッジ片が肉薄部分で内向きに撓むようにしたことを特徴とする。
【００１０】
【発明の実施の形態】
図１は、本発明に係わる目地用ガスケットの断面を示すもので、例えばＥＰＤＭゴムを押出成形することによって得られ、図示するように、柱部１と、柱部１の下端及び中間部において両側面より斜め上向きに延出する内部リップ２ａ、２ｂと、柱部１の上端において側方に延出し、表面を化粧面とした外部リップ３と、外部リップ３と、その下隣の内部リップ２ａを連結するブリッジ片４よりなり、ブリッジ片４は内向きに彎曲して外部リップ３との連結位置が内部リップ２ａとの連結位置より内向きに位置し、図５に示す従来のガスケットと大きく異なる点は、この点、すなわちブリッジ片４の連結位置を柱部寄りに設けた点にある。
【００１１】
上記ガスケットを例えば図２に示すような壁パネル６間の目地７に挿入するときには、内部リップ２ｂを壁パネル６の面取りされたＣカット木口６′に当てゝガスケットを目地内に押込み挿入する。挿入時、先ず内部リップ２ｂが根元の切欠き部分２ｃで上向きに折り込まれながら押し込まれ、ついで内部リップ２ａが上向きに彎曲しながら押し込まれるが、内部リップ２ａが上向きに撓むと、各ブリッジ片４が内向きに撓むことにより内部リップ２ａの撓みを吸収する。外部リップ３はブリッジ片４の撓みにより引張られ、下向きに撓もうとするが、ブリッジ片４との連結部分が内部リップ２ａとの連結部分より内側にあるため、外側にあるものと比べ曲げモーメントは小さくなり、撓みがほとんどなくなる。換言すれば、挿入時の内部リップ２ａの撓みによりブリッジ片４が内向きに撓み、これにより内部リップが完全に撓んで目地内に入りきった時でもブリッジ片は外部リップを引張るまでには至らない。このことは、図５に示す従来のガスケットに比べて、外部リップ３の撓みがなく、内部リップ２ａは外部リップ３とは独立した撓み挙動を呈することを意味する。
【００１２】
内部リップ２ａに続いて外部リップ３が目地内に挿入されるが、外部リップ３の撓みは上述するように、図５に示した従来のものに比べ小さく、また目地壁に当たって反る際の撓みもブリッジ片４から先端部までの長さが図５に示す従来のものに比べ長いため撓み易い。したがって小さな力で撓むため、挿入時の抵抗が少なく、挿入が容易に行える。
【００１３】
図３は、図４に示すガスケット１１、すなわち外部リップ１２と、その下隣の内部リップ１３を連結するブリッジ片１４が柱部１５と平行をなすガスケットにおいて、ブリッジ片１４に薄肉部分１６を形成し、該薄肉部分１６でブリッジ片１４が内向きに撓むようにしたものである。
【００１４】
【発明の効果】
本発明によると、ブリッジ片の外部リップとの連結位置を柱部寄りの内側に設けたことにより、内部リップが外部リップとは独立した撓み挙動を呈するようになり、内部リップを撓ませながら目地へ挿入する際にはブリッジ片の撓むに伴う外部リップの撓みは小さく、しかも外部リップはブリッジ片との連結位置から先端までの距離が長くなるから先端部が撓み易く、したがって外部リップは小さな力で撓んで挿入されるため、挿入時の抵抗が少なくなり、挿入性が向上する。またブリッジ片は外部リップとの連結位置が内側に設けられても内部リップとの連結位置が柱部より離れているため、柱部との間にブリッジ片が撓みうるスペースを確保することができ、ブリッジ片の撓みにより挿入に支障を生じることはない。
【図面の簡単な説明】
【図１】本発明に係わるガスケットの断面図。
【図２】図１に示すガスケットを目地に挿入した状態を示す断面図。
【図３】本発明に係わるガスケットの別の態様を示す断面図。
【図４】従来のガスケットの断面図。
【図５】従来の別のガスケットの断面図。
【符号の説明】
１、１５・・柱部
２ａ、２ｂ、１３・・内部リップ
２ｃ・・切欠き部分
３、１２・・外部リップ
４、１４・・ブリッジ片
６、８・・壁パネル
８ａ・・台座
６′・・Ｃカット木口
７、９・・目地
１１・・ガスケット
１６・・薄肉部分
【図１】
0004514373.tif 000002
【図２】
0004514373.tif 000003
【図３】
0004514373.tif 000004
【図４】
0004514373.tif 000005
【図５】
0004514373.tif 000006